(57)【要約】本発明は、化粧品容器に関し、本発明による化粧品容器は、化粧品が貯蔵される貯蔵部と、前記貯蔵部と所定のポンプ方向（Ｘ軸方向）に沿って相対スライド移動しながら前記貯蔵部の化粧品を外部に吐出すポンプ部とを有する内部容器；前記ポンプ方向の垂直横方向（Ｚ軸方向）に前記内部容器を挟んで相互対向配置される一対の外部キャップ；及び前記内部容器と前記外部キャップとの間に設けられ、前記一対の外部キャップの相対接近移動を前記貯蔵部と前記ポンプ部との相対スライド移動に転換する転換部；を含むことを特徴とする。【選択図】図１
2013500122.tif 000002
【特許請求の範囲】
【請求項１】
化粧品容器において、
化粧品が貯蔵される貯蔵部と、前記貯蔵部と所定のポンプ方向（Ｘ軸方向）に沿って相対スライド移動しながら前記貯蔵部の化粧品を外部に吐出すポンプ部とを有する内部容器；
前記ポンプ方向の垂直横方向（Ｚ軸方向）に前記内部容器を挟んで相互対向配置される一対の外部キャップ；及び
前記内部容器と前記外部キャップとの間に設けられ、前記一対の外部キャップの相対接近移動を前記貯蔵部と前記ポンプ部との相対スライド移動に転換する転換部；を含むことを特徴とする化粧品容器。
【請求項２】
前記転換部は、
前記貯蔵部から突出したスライダ；及び
前記スライダを収容し、前記外部キャップの相対接近移動に沿って前記スライダを前記ポンプ方向に移動させるガイド溝が形成されたガイド部材；を含むことを特徴とする請求項１に記載の化粧品容器。
【請求項３】
前記貯蔵部は、開口を有する貯蔵部本体と、前記貯蔵部本体の開口に設けられる貯蔵部ヘッドとを含み；
前記スライダは、前記貯蔵部ヘッドから前記ポンプ方向の水平横方向（Ｙ軸方向）に沿って相互対向するように一対が突出すことを特徴とする請求項２に記載の化粧品容器。
【請求項４】
前記ガイド溝は、所定の傾斜を有する長孔で形成されることを特徴とする請求項３に記載の化粧品容器。
【請求項５】
前記貯蔵部ヘッドから前記ポンプ方向の垂直横方向（Ｚ軸方向）に沿って突出すヘッド案内突起をさらに含み；
前記外部キャップの内周面には、前記貯蔵部のスライド移動に沿って前記ポンプ方向（Ｘ軸方向）に前記ヘッド案内突起の移動を案内するヘッド突起案内溝が形成されていることを特徴とする請求項４に記載の化粧品容器。
【請求項６】
前記ヘッド突起案内溝は、
前記貯蔵部のスライド移動に沿って前記ポンプ方向（Ｘ軸方向）に前記ヘッド案内突起を案内する第１ヘッド突起案内溝；及び
前記第１ヘッド突起案内溝から折曲延長されて前記貯蔵部の回転移動に沿って回転方向に前記ヘッド案内突起を案内する第２ヘッド突起案内溝を含むことを特徴とする請求項５に記載の化粧品容器。
【請求項７】
前記ポンプ部は、
化粧品吐出口が形成されたポンプヘッド；
前記貯蔵部の内部から前記化粧品吐出口を連結するポンプホース；及び
前記ポンプヘッドと前記貯蔵部ヘッドとの間に配置されて相互離隔する方向に弾性力を提供する弾性部材；を含むことを特徴とする請求項６に記載の化粧品容器。
【請求項８】
前記化粧品吐出口が通過される貫通孔が形成され、前記一対の外部キャップの間をカバーするリング状の中間キャップ；をさらに含むことを特徴とする請求項７に記載の化粧品容器。
【請求項９】
前記外部キャップと前記内部容器との間に配置される内部キャップ；をさらに含むことを特徴とする請求項１乃至８のいずれか一項に記載の化粧品容器。
【請求項１０】
前記転換部は、前記内部キャップに設けられることを特徴とする請求項９に記載の化粧品容器。
【請求項１１】
前記内部キャップと前記外部キャップとの相互対応する位置にそれぞれ突没し、前記内部キャップと前記外部キャップとの相対回転によって外れながら前記一対の外部キャップの相対接近移動を阻止するロック部；をさらに含むことを特徴とする請求項９に記載の化粧品容器。
【発明の詳細な説明】
【技術分野】
【０００１】
本発明は、化粧品容器に関し、さらに詳しくは、ポンプ構造を改善した従来のデザインから抜け出し、概観に優れた化粧品容器に関する。
【背景技術】
【０００２】
一般的に、ポンプ式化粧品容器は、内容物が収容される胴体の上端部にポンプ部材が位置し、ポンプ部材の加圧時に内容物が外部に排出されるように構成される。
【０００３】
このようなポンプ式化粧品容器は、内部に内容物が収容される胴体と、前記胴体の上端部に結合され、前記内容物が排出される排出部と、前記胴体と排出部との間に結合され、前記内容物が外部に排出されるようにポンプ作用をするポンプ部材と、ポンプ部材が任意に入ることを防止する保護キャップとから構成される。
【０００４】
しかし、前記のような従来に発売されているポンプ式化粧品容器は、前記のようなポンプ方式、構造及び構成上の限界によって全て一括したデザインを有するので、さらに多様で洗練したデザインを望む消費者の欲求を満たせない問題点があった。
【発明の概要】
【発明が解決しようとする課題】
【０００５】
本発明は、上述した問題点を解決しようと案出されたもので、本発明の目的は、ポンプ構造を改善して従来のデザインから抜け出し、外観に優れた化粧品容器を提供することである。
【課題を解決するための手段】
【０００６】
前記のような問題点を解決するために、本発明による化粧品容器は、化粧品が貯蔵される貯蔵部と、前記貯蔵部と所定のポンプ方向（Ｘ軸方向）に沿って相対スライド移動し、前記貯蔵部の化粧品を外部に吐出すポンプ部とを有する内部容器；前記ポンプ方向の垂直横方向（Ｚ軸方向）に前記内部容器を挟んで相互対向配置される一対の外部キャップ；及び前記内部容器と前記外部キャップとの間に設けられ、前記一対の外部キャップの相対接近移動を前記貯蔵部と前記ポンプ部との相対スライド移動に転換する転換部；を含むことを特徴とする。
【０００７】
前記転換部は、前記貯蔵部から突出したスライダ；及び前記スライダを収容し、前記外部キャップの相対接近移動に沿って前記スライダを前記ポンプ方向に移動させるガイド溝が形成されたガイド部材；を含むことを特徴とする。
【０００８】
前記貯蔵部は、開口を有する貯蔵部本体と、前記貯蔵部本体の開口に設けられる貯蔵部ヘッドとを含み；前記スライダは、前記貯蔵部ヘッドから前記ポンプ方向の水平横方向（Ｙ軸方向）に沿って相互対向するように一対が突出すことを特徴とする。
【０００９】
前記ガイド溝は、所定の傾斜を有する長孔で形成されることを特徴とする。
【００１０】
前記貯蔵部ヘッドから前記ポンプ方向の垂直横方向（Ｚ軸方向）に沿って突出すヘッド案内突起をさらに含み；
前記外部キャップの内周面には、前記貯蔵部のスライド移動に沿って前記ポンプ方向（Ｘ軸方向）に前記ヘッド案内突起の移動を案内するヘッド突起案内溝が形成されていることを特徴とする。
【００１１】
前記ヘッド突起案内溝は、前記貯蔵部のスライド移動に沿って前記ポンプ方向（Ｘ軸方向）に前記ヘッド案内突起を案内する第１ヘッド突起案内溝；及び前記第１ヘッド突起案内溝から折曲延長されて前記貯蔵部の回転移動に沿って回転方向に前記ヘッド案内突起を案内する第２ヘッド突起案内溝を含むことを特徴とする。
【００１２】
前記ポンプ部は、化粧品吐出口が形成されたポンプヘッド；前記貯蔵部の内部から前記化粧品吐出口を連結するポンプホース；及び前記ポンプヘッドと前記貯蔵部ヘッドとの間に配置され、相互離隔する方向に弾性力を提供する弾性部材；を含むことを特徴とする。
【００１３】
前記化粧品吐出口が通過する貫通孔が形成され、前記一対の外部キャップの間をカバーするリング状の中間キャップ；をさらに含むことを特徴とする。
【００１４】
前記外部キャップと前記内部容器との間に配置される内部キャップ；をさらに含むことを特徴とする。
【００１５】
前記転換部は、前記内部キャップに設けられることを特徴とする。
【００１６】
前記内部キャップと前記外部キャップとの相互対応する位置にそれぞれ突沒し、前記内部キャップと前記外部キャップとの相対回転によって外れながら前記一対の外部キャップの相対接近移動を阻止するロック部；をさらに含むことを特徴とする。
【発明の効果】
【００１７】
以上で詳述したように、本発明によると、ポンプ構造を改善して従来のデザインから抜け出し、概観に優れた長所がある。
【図面の簡単な説明】
【００１８】
【図１】本発明の好ましい実施例による化粧品容器の概観を示した斜視図である。
【図２】本発明の好ましい実施例による化粧品容器の平面分解斜視図である。
【図３】本発明の好ましい実施例による化粧品容器の底面分解斜視図である。
【図４】本発明の好ましい実施例による化粧品容器のポンプ作動過程を示した断面図である。
【図５】本発明の好ましい実施例による化粧品容器のポンプ作動過程を示した断面図である。
【図６】本発明の好ましい実施例による化粧品容器のロック部の作動状態を示した斜視図である。
【図７】本発明の好ましい実施例による化粧品容器のロック部の作動状態を示した斜視図である。
【図８】本発明の好ましい実施例による化粧品容器のヘッド案内突起の移動状態によるロック作動を示した底面図である。
【図９】本発明の好ましい実施例による化粧品容器のヘッド案内突起の移動状態によるロック作動を示した底面図である。
【発明を実施するための形態】
【００１９】
以下に、添付の図面を参考して、本発明の好ましい実施例に対して本発明が属する技術分野で通常の知識を持った者が容易に実施できるように詳しく説明する。本発明は、様々な異なる形態で具現されることができ、ここで説明する好ましい実施例に限らない。本発明を明確に説明するために、説明と関係ない部分は省略し、明細書全体を通じて同一または類似した構成要素に対しては、同一の参照符号を付与する。本説明において、Ｘ軸方向、Ｙ軸方向及びＺ軸方向は、絶対的な方向性を示すものではなく、相対的な方向性を示すことを予め明らかにする。
【００２０】
図１は、本発明の好ましい実施例による化粧品容器１の概観を示した斜視図、図２は、本発明の好ましい実施例による化粧品容器１の平面分解斜視図、図３は、本発明の好ましい実施例による化粧品容器１の底面分解斜視図である。
【００２１】
図１乃至図３を参照すると、本発明の好ましい実施例による化粧品容器１は、内部容器１０、一対の外部キャップ４０及び転換部５０を含む。
【００２２】
内部容器１０は、化粧品が貯蔵される貯蔵部２０と、貯蔵部２０と所定のポンプ方向（Ｘ軸方向、前後方向）に沿って相対スライド移動しながら貯蔵部２０の化粧品を外部に吐出すポンプ部３０とを有する。
【００２３】
貯蔵部２０は、開口を有する貯蔵部本体２１と、貯蔵部本体２１の開口に設けられる貯蔵部ヘッド２３とを有する。本実施例において、貯蔵部本体２１は、平たい容器状を有するが、その形状に限らない。
【００２４】
ポンプ部３０は、化粧品吐出口３３が形成されたポンプヘッド３１、貯蔵部２０の内部から化粧品吐出口３３を連結するポンプホース３５、及びポンプヘッド３１と貯蔵部ヘッド２３との間に配置され、相互離隔する方向に弾性力を提供する弾性部材３７を含む。
【００２５】
ポンプ部３０の詳細構成及びポンプ部３０の作動によって貯蔵部２０から化粧品が外部に吐出される過程は、本発明が属する技術分野で通常の知識を持った者に広く知られた公知技術であるので、その詳しい説明を省略する。
【００２６】
外部キャップ４０は、ポンプ方向の垂直横方向（Ｚ軸方向、上下方向）に内部容器１０を挟んで相互対向配置されるように一対で設けられる。外部キャップ４０は、内部容器１０の上部に配置される上側外部キャップ４１と、下部に配置される下側外部キャップ４３とを含む。上側外部キャップ４１と下側外部キャップ４３とは、相互対向する開口を有する筒状で設けられ、その間に内部容器１０を収容する。
【００２７】
転換部５０は、内部容器１０と外部キャップ４０との間に設けられ、一対の外部キャップ４０の相対接近移動を貯蔵部２０とポンプ部３０との相対スライド移動に転換する。転換部５０は、貯蔵部２０から突出したスライダ５１と、スライダ５１を収容し、一対の外部キャップ４０の相対接近移動に沿ってスライダ５１をポンプ方向に移動させるガイド溝５５が形成されたガイド部材５３とを含む。
【００２８】
スライダ５１は、貯蔵部ヘッド２３からポンプ方向の水平横方向（Ｙ軸方向、左右方向）に沿って相互対向するように一対が突出すことが好ましい。
【００２９】
ガイド溝５５は、所定の傾斜を有する長孔で形成されることが好ましい。ガイド溝５５は、図４及び図５に示すように、Ｘ−Ｚ平面に傾斜配置される。ここで、ガイド溝５５の傾斜は、３０乃至６０度範囲内であることが好ましい。それで、一対の外部キャップ４０の相対接近移動に沿ってスライダ５１を位相差なくポンプ方向に容易に移動させることができる。
【００３０】
一方、本実施例では、ガイド部材５３を上側外部キャップ４１と内部容器１０との間に設けるものと示したが、これに限らず、勿論、下側外部キャップ４３と内部容器１０との間に設けられてもよい。また、ガイド部材５３は、上側外部キャップ４１と内部容器１０との間及び下側外部キャップ４３と内部容器１０との間にそれぞれ設けられてもよい。
【００３１】
本実施例による化粧品容器１は、外部キャップ４０と内部容器１０との間に配置される内部キャップ６０をさらに含んでもよい。本実施例において、ガイド部材５３は内部キャップ６０と一体で設けられる。しかし、ガイド部材５３と内部キャップ６０とは、別途の部材で設けられてもよい。
【００３２】
一方、本実施例では、内部キャップ６０を上側外部キャップ４１と内部容器１０との間に設けるものと示したが、これに限らず、勿論、下側外部キャップ４３と内部容器１０との間に設けられてもよい。また、内部キャップ６０は、上側外部キャップ４１と内部容器１０との間及び下側外部キャップ４３と内部容器１０との間にそれぞれ設けられてもよい。
【００３３】
本実施例による化粧品容器１は、ポンプヘッド３１の化粧品吐出口３３が通過される貫通孔７１が形成され、一対の外部キャップ４０の間をカバーするリング状の中間キャップ７０をさらに含む。このような中間キャップ７０は、一対の外部キャップ４０の間の構造物が外部に露出されることを遮断して、優れた美観にすることができる。
【００３４】
本実施例による化粧品容器１は、内部キャップ６０と外部キャップ４０との相互対応する位置にそれぞれ突沒し、内部キャップ６０と外部キャップ４０との相対回転によって外れながら一対の外部キャップ４０の相対接近移動を阻止するロック部８０をさらに含む。
【００３５】
ロック部８０は、内部キャップ６０からポンプ方向の垂直横方向（Ｚ軸方向）に突出したロック突起８１と、下側外部キャップ４３の内周に形成され、一対の外部キャップ４０の相対接近移動に沿ってロック突起８１を収容し、その移動を案内するロック突起案内溝８３とを含む。
【００３６】
ロック突起８１とロック突起案内溝８３とは、内部キャップ６０と外部キャップ４０との相対回転によってその位置が外れながら一対の外部キャップ４０の相対接近移動を阻止する。それで、従来のように別途の保護キャップ（図示せず）を具備せずとも、一対の外部キャップ４０の相対接近移動を阻止して、任意に内部容器１０がポンプ作動することを防止することができる。
【００３７】
本実施例による化粧品容器１は、貯蔵部ヘッド２３からポンプ方向の垂直横方向（Ｚ軸方向）に沿って突出すヘッド案内突起９０をさらに含む。
【００３８】
本実施例において、ヘッド案内突起９０は、貯蔵部ヘッド２３から下側外部キャップ４３に向かって突出している。
【００３９】
一方、下側外部キャップ４３の内周面には、貯蔵部２０のスライド移動に沿ってポンプ方向（Ｘ軸方向）にヘッド案内突起９０の移動を案内するヘッド突起案内溝９５が形成されている。
【００４０】
ヘッド突起案内溝９５は、貯蔵部２０のスライド移動に沿ってポンプ方向（Ｘ軸方向）にヘッド案内突起９０を案内する第１ヘッド突起案内溝９６、及び第１ヘッド突起案内溝９６から折曲延長されて貯蔵部２０の回転移動に沿って回転方向にヘッド案内突起９０を案内する第２ヘッド突起案内溝９７を含む。
【００４１】
第１ヘッド突起案内溝９６は、貯蔵部２０が揺れなく容易にスライド移動することができるように案内する。
【００４２】
一方、第２ヘッド突起案内溝９７は、内部容器１０の回転を案内して、内部容器１０が回転された時、貯蔵部２０のポンプ作動を阻止する。それで、従来のように別途の保護キャップ（図示せず）を具備せずとも、一対の外部キャップ４０の相対接近移動を阻止して、任意に内部容器１０がポンプ作動することを防止することができる。
【００４３】
一方、本実施例では、スライダ５１が内部容器１０に設けられ、ガイド溝５５がガイド部材５３に形成されると説明して示したが、これと反対に、スライダ５１がガイド部材５３に設けられ、ガイド溝５５が内部容器１０に形成されてもよい。
【００４４】
また、本実施例では、ロック突起８１が内部キャップ６０に設けられ、ロック突起案内溝８３が外部キャップ４０に形成されると説明して示したが、これと反対に、ロック突起８１が外部キャップ４０に設けられ、ロック突起案内溝８３が内部キャップ６０に形成されてもよい。
【００４５】
また、本実施例では、ヘッド案内突起９０が内部容器１０に設けられ、ヘッド突起案内溝９５が外部キャップ４０に形成されると説明して示したが、これと反対に、ヘッド案内突起９０が外部キャップ４０に設けられ、ヘッド突起案内溝９５が内部容器１０に形成されてもよい。
【００４６】
以下では、図４及び図５を参照して、本発明の好ましい実施例による化粧品容器１のポンプ作動過程を詳しく説明する。
【００４７】
図４及び図５は、本発明の好ましい実施例による化粧品容器１のポンプ作動過程を示した作動状態断面図である。
【００４８】
先ず、使用者は、図４に示すように、化粧品容器１を底に置いた状態で上側外部キャップ４１を下側に加圧したり、化粧品容器１を持って上側外部キャップ４及び下側外部キャップ４３を相互接近する方向に加圧する。ここで、使用者の加圧力は、ポンプ部３０の弾性部材３７の弾性力が克服される程度であれば充分である。
【００４９】
図５に示すように、弾性部材３７の弾性力が克服されると、上側外部キャップ４１の移動力がガイド部材５３に伝達される。ガイド部材５３が下側に移動すると、スライダ５１は、ガイド溝５５に沿って前方に移動する。スライダ５１の移動に沿って貯蔵部２０がスライド移動しながらポンプ作動が行われる。
【００５０】
ここで、ヘッド案内突起９０は、第１ヘッド突起案内溝９６に沿って移動しながら貯蔵部２０を揺れなく容易にスライド移動させる。
【００５１】
最後に、使用者が外部キャップ４０の加圧力を解除すると、弾性部材３７の弾性力が復元されながら貯蔵部２０が後方に後退する。ここで、スライダ５１は、ガイド溝５５を加圧してガイド部材５３を上昇させる。それで、一対の外部キャップ４０が相互離隔する。
【００５２】
以上で分かるように、本発明は、ポンプヘッド３１を加圧してポンプする構造である従来に比べて、外部キャップ４０を加圧してポンプする構造を適用することで、外部キャップ４０の形状を所望の通り変更させることができ、従来のデザインから抜け出し、優れた概観にすることができる。
【００５３】
ここで、一対の外部キャップ４０の間をカバーする中間キャップ７０を設けることで、内部構造が露出することを防止して、さらに優れた概観を提供することができる。
【００５４】
以下では、図６乃至図７を参照して、本発明の好ましい実施例による化粧品容器１のロック過程を詳しく説明する。
【００５５】
図６及び図７は、本発明の好ましい実施例による化粧品容器１のロック部８０の作動状態を示した斜視図である。
【００５６】
本発明の好ましい実施例による化粧品容器１は、図６に示すように、通常（使用者によって加圧されない場合）、ポンプ部３０の弾性部材３７の弾性力によって一対の外部キャップ４０が相互離隔している。
【００５７】
ここで、ロック突起８１とロック突起案内溝８３とは、相互対向する位置に配置されており、ポンプ作動時にロック突起８１がロック突起案内溝８３に沿ってスライド移動する。
【００５８】
使用者が上側外部キャップ４１と下側外部キャップ４３とを異なる方向に回転させると、上側外部キャップ４１が下側外部キャップ４３に対して相対回転する。
【００５９】
上側外部キャップ４１が回転すると、下側外部キャップ４３に対して内部キャップ６０が回転する。ここで、図７に示すように、ロック突起８１とロック突起案内溝８３とが外れながらポンプ作動がロックされる。即ち、ロック突起８１とロック突起案内溝８３とが外れ、使用者が加圧しても上側外部キャップ４１と下側外部キャップ４３との相対接近が阻止される。
【００６０】
以下では、図８乃至図９を参照して、本発明の好ましい実施例による化粧品容器１のロック過程を詳しく説明する。
【００６１】
図８及び図９は、本発明の好ましい実施例による化粧品容器１のヘッド案内突起９０の移動状態によるロック作動を示した底面図である。
【００６２】
先ず、使用者が上側外部キャップ４１と下側外部キャップ４３とを異なる方向に回転させると、上側外部キャップ４１が下側外部キャップ４３に対して相対回転する。
【００６３】
上側外部キャップ４１が回転すると、下側外部キャップ４３に対してガイド部材５３及びこれに結合されている貯蔵部２０が回転する。ここで、貯蔵部２０の貯蔵部ヘッド２３に設けられたヘッド案内突起９０が第２ヘッド突起案内溝９７に沿って回転移動する。
【００６４】
第２ヘッド突起案内溝９７にヘッド案内突起９０が収容されると、ポンプ方向に貯蔵部２０が移動できなくなる。それで、使用者が加圧しても、上側外部キャップ４１と下側外部キャップ４３とが相対接近されることを防止することで、任意にポンプ作動が行われることを防止することができる。
【００６５】
本実施例では、ロック突起８１とロック突起案内溝８３とで構成されるロック構造と、ヘッド案内突起９０と第２ヘッド突起案内溝９７とで構成されるロック構造とが全て適用されたが、生産者の選択によっていずれか一つが省略されてもよいことは勿論である。
【００６６】
たとえ本発明のいくつかの実施例が示されて説明されたが、本発明が属する技術分野の通常の知識を持った当業者なら、本発明の原則や精神から逸脱することなく本実施例が変形可能なことは分かるであろう。発明の範囲は、添付の請求項とその均等物によって定められる。
【図１】
2013500122.tif 000003
【図２】
2013500122.tif 000004
【図３】
2013500122.tif 000005
【図４】
2013500122.tif 000006
【図５】
2013500122.tif 000007
【図６】
2013500122.tif 000008
【図７】
2013500122.tif 000009
【図８】
2013500122.tif 000010
【図９】
2013500122.tif 000011
【国際調査報告】
2013500122.tif 000012
2013500122.tif 000013
2013500122.tif 000014
2013500122.tif 000015